(57)【要約】【課題】調光下限値の大きさに応じて調光下限値での照明負荷の点灯状態が選択され、調光下限値での急激な照度変化の抑制または省電力かつ照明負荷の点滅の抑制を図った照明制御装置および照明装置を提供する。【解決手段】照明負荷８を付勢する点灯装置５の調光下限値と予め設定された基準下限値を比較し、調光下限値が基準下限値を上回るときに、調光下限値で照明負荷８の点灯を維持させ、調光下限値が基準下限値以下であるときに、調光下限値で照明負荷８を消灯可能にさせる下限点灯選択手段２３と、調光下限値までは、照度入力手段１８に入力された照度値が予め設定された目標照度となるように調光信号を演算生成して点灯装置５に送出し、調光下限値では、下限点灯選択手段２３の判別に応じて照明負荷８の点灯状態を制御する制御手段２６を具備する。【選択図】図３
2004235070.tif 000002
【特許請求の範囲】
【請求項１】
照明負荷を配設している照明器具が照明する照明エリアの照度を検出する照度センサから当該照度値を入力する照度入力手段と；
照明負荷を付勢する点灯装置の調光下限値と予め設定された基準下限値を比較し、調光下限値が基準下限値を上回るときに、調光下限値で照明負荷の点灯を維持させ、調光下限値が基準下限値以下であるときに、調光下限値で照明負荷を消灯可能にさせる下限点灯選択手段と；
調光下限値までは、照度入力手段に入力された照度値が予め設定された目標照度となるように調光信号を演算生成して点灯装置に送出し、調光下限値では、下限点灯選択手段の判別に応じて照明負荷の点灯状態を制御する制御手段と；
点灯装置の調光下限値を設定する下限値設定手段と；
を具備していることを特徴とする照明制御装置。
【請求項２】
制御手段は、照度入力手段に入力された照度値が目標照度を上回って予め設定された第１の照度値を上回るときに照明負荷を消灯させ、第１の照度値および目標照度を下回って予め設定された第２の照度値の範囲の予め設定された第３の照度値以下となったときに照明負荷を再点灯させるように制御することを特徴とする請求項１記載の照明制御装置。
【請求項３】
第１の照度値は、目標照度に調光下限値で照明負荷を点灯したときの照明器具のみによる照明エリアの照度を加算した値であり、第２の照度値は、目標照度から調光下限値で照明負荷を点灯したときの照明器具のみによる照明エリアの照度を減算した値であることを特徴とする請求項２記載の照明制御装置。
【請求項４】
第３の照度値は、目標照度および第２の照度値の範囲に設定されていることを特徴とする請求項２または３記載の照明制御装置。
【請求項５】
請求項１ないし４いずれか一記載の照明制御装置と；
照明制御装置から送出された調光信号を入力し、調光信号に応じて照明負荷を付勢する点灯装置と；
点灯装置により付勢される照明負荷が配設され、所定の照明エリアを照明する照明器具と；
照明器具が照明する照明エリアの照度を検出して、当該照度値を照明制御装置の照度入力手段に入力する照度センサと；
を具備していることを特徴とする照明装置。
【発明の詳細な説明】
【０００１】
【発明の属する技術分野】本発明は、通常、目標照度で照明エリアを照明する照明制御装置および照明装置に関する。
【０００２】
【従来の技術】照度センサを用いて机上面や床面などの被照射面の照度を一定の目標照度に制御することが行われている。この被照射面の照度は、被照射面を照明する目的の照明器具の照射光の他に、当該照明器具以外の照明器具による照射光および太陽光などの自然光からなる外光により形成されている。そして、外光が大きくなるにしたがい、被照射面を照明する目的の照明器具は調光されている。
【０００３】
しかしながら、照明器具に配設されている照明負荷を付勢する点灯装置には、照明負荷の点灯状態を維持する調光下限値（下限調光率）が存在しているので、点灯装置の調光下限値まで調光されると、外光がさらに大きくなっても、調光下限値で照明負荷の点灯を維持することになる。ここで、省エネルギー効果を発揮させるために、照明負荷が調光下限値まで調光されると、照明負荷を調光下限値で消灯させている自動調光装置がある（例えば、特許文献１参照。）。この自動調光装置は、タイマ回路を設け、調光下限値での点灯状態を一定期間保持した後、照明負荷を消灯させるものである。この結果、調光下限値近辺での外光の変動などにより、照明負荷が点滅を繰り返すことが防止されるとともに、省電力が実現されるというものである。
【０００４】
また、調光下限値での外光の大きさに応じて、照明負荷を消灯させる照明制御装置がある（例えば、特許文献２参照。）。この照明制御装置は、調光下限値において、外光による照度値が目標照度以上となったときに照明負荷を消灯させ、外光による照度値が目標照度を下回っているときに照明負荷を点灯させるものである。
【０００５】
【特許文献１】特開昭５８−５３１８６号公報（第２−３頁、第３図）
【０００６】
【特許文献２】特開２００２−２６０８８０号公報（第４−５頁、第３図）
【０００７】
【発明が解決しようとする課題】特許文献１の自動調光装置は、調光下限値で照明負荷が一定期間後に消灯されるので、調光下限値において、外光が大きくならない場合、被照射面が目標照度で照明されなくなり、特に、調光下限値が大きい値であるほど、被照射面が暗くなるという欠点を有する。
【０００８】
また、特許文献２の照明制御装置は、被照射面を目標照度以上の照度値で照明することができるが、照明負荷が消灯されるときの調光下限値が大きいと、急激に被照射面の照度が変化するので、違和感や不快感などを与えるという欠点を有する。また、外光による照度値が目標照度の近辺で変動すると、照明負荷が点滅を繰り返すという欠点を有する。
【０００９】
本発明は、調光下限値の大きさに応じて調光下限値での照明負荷の点灯状態が選択され、調光下限値での急激な照度変化の抑制または省電力かつ照明負荷の点滅の抑制を図った照明制御装置および照明装置を提供することを目的とする。
【００１０】
【課題を解決するための手段】請求項１に記載の照明制御装置の発明は、照明負荷を配設している照明器具が照明する照明エリアの照度を検出する照度センサから当該照度値を入力する照度入力手段と；照明負荷を付勢する点灯装置の調光下限値と予め設定された基準下限値を比較し、調光下限値が基準下限値を上回るときに、調光下限値で照明負荷の点灯を維持させ、調光下限値が基準下限値以下であるときに、調光下限値で照明負荷を消灯可能にさせる下限点灯選択手段と；調光下限値までは、照度入力手段に入力された照度値が予め設定された目標照度となるように調光信号を演算生成して点灯装置に送出し、調光下限値では、下限点灯選択手段の判別に応じて照明負荷の点灯状態を制御する制御手段と；点灯装置の調光下限値を設定する下限値設定手段と；を具備していることを特徴とする。
【００１１】
本発明および以下の各発明において、特に言及しない限り、各構成は以下による。
【００１２】
照度センサは、照明エリアの照度を照明エリアからの主として反射光により検出してもよく、照明器具からの主として直接光により検出してもよい。
【００１３】
照明エリアの照度は、照明器具による照度と外光による照度の合計である。そして、外光による照度は、照明負荷の消灯時における照明エリアの照度である。外光による照度は、例えば、照明負荷を消灯させて、照度入力手段に入力される照度を演算してもよく、照明負荷を少なくとも２つの調光率で点灯させ、照度入力手段に入力される照度変化を演算して算出してもよい。
【００１４】
基準下限値は、照明エリアの雰囲気などに応じて適宜設定されればよく、例えば３０％程度が実用的である。
【００１５】
「調光下限値で照明負荷を消灯可能にさせる」とは、調光下限値で照明負荷が消灯されてもよく、点灯されてもよいことを意味する。
【００１６】
「調光下限値まで」とは、調光率１００％（照明負荷の全光状態）から調光下限値の間を意味する。
【００１７】
「調光下限値での照明負荷の点灯状態」とは、照明負荷の点灯または消灯をいう。
【００１８】
本発明によれば、点灯装置の調光下限値が予め設定された基準下限値を上回るか否かにより、調光下限値での照明負荷の点灯状態が選択される。すなわち、調光下限値が基準調光率を上回っていると、照明負荷が調光下限値まで調光されると、照明器具以外の照射光（外光）の大きさに係わらず、照明負荷は調光下限値で点灯され、調光下限値での急激な照度変化が発生しない。そして、調光下限値が基準下限値以下のときには、照明負荷を消灯することができて、省電力が図られる。
【００１９】
請求項２に記載の照明制御装置の発明は、請求項１記載の照明制御装置において、制御手段は、照度入力手段に入力された照度値が目標照度を上回って予め設定された第１の照度値を上回るときに照明負荷を消灯させ、第１の照度値および目標照度を下回って予め設定された第２の照度値の範囲の予め設定された第３の照度値以下となったときに照明負荷を再点灯させるように制御することを特徴とする。
【００２０】
第３の照度値は、第１の照度値の近辺の値でないことが好ましい。すなわち、外光の変動が発生しても、照明負荷の点滅が抑制されるような第１の照度値より離間した値に設定されるものである。
【００２１】
本発明によれば、照明エリアの照度が第１の照度値を上回るときに照明負荷が消灯され、第３の照度値以下となったときに照明負荷が再点灯されることにより、省電力が図られると共に、調光下限値での外光の変動による照明負荷の点滅が抑制される。
【００２２】
請求項３に記載の照明制御装置の発明は、請求項２記載の照明制御装置において、第１の照度値は、目標照度に調光下限値で照明負荷を点灯したときの照明器具のみによる照明エリアの照度を加算した値であり、第２の照度値は、目標照度から調光下限値で照明負荷を点灯したときの照明器具のみによる照明エリアの照度を減算した値であることを特徴とする。
【００２３】
第１および第２の照度値を調光下限値で照明負荷を点灯したときの照明器具のみによる照明エリアの照度を目標照度にそれぞれ加算または減算させた値とする理由は以下による。すなわち、基準下限値以下の調光下限値は、比較的低い値であり、目標照度に対する照明器具のみによる照明エリアの照度割合は概して大きいものではない。この結果、照明器具のみによる照明エリアの照度が変化しても、照明エリアの全照度の変化は大きいものではなく、人に対して違和感や不快感を与えにくいものである。
【００２４】
本発明によれば、第１および第２の照度値は、調光下限値で照明負荷を点灯したときの照明器具のみによる照明エリアの照度を目標照度にそれぞれ加算または減算させた値であるので、調光下限値で照明負荷が消灯または再点灯しても、照明エリアの照度変化は大きくなく、人に対して違和感や不快感を与えることが抑制される。
【００２５】
請求項４に記載の照明制御装置の発明は、請求項２または３記載の照明制御装置において、第３の照度値は、目標照度および第２の照度値の範囲に設定されていることを特徴とする。
【００２６】
照明負荷は、照明エリアの照度が第１の照度値を上回ると消灯され、第３の照度値以下になると再点灯される。したがって、第３の照度値が目標照度〜第２の照度値の範囲に設定されることにより、照明負荷は、再点灯した後、外光の変動が少なくとも調光下限値で照明負荷を点灯したときの照明器具のみによる照明エリアの照度値を上回らなければ再消灯しないことになる。
【００２７】
本発明によれば、第３の照度値は、第１の照度値から離間した目標照度および第２の照度値の範囲に設定されているので、調光下限値での外光の変動による照明負荷の点滅が抑制される。
【００２８】
請求項５に記載の照明装置の発明は、請求項１ないし４いずれか一記載の照明制御装置と；照明制御装置から送出された調光信号を入力し、調光信号に応じて照明負荷を付勢する点灯装置と；点灯装置により付勢される照明負荷が配設され、所定の照明エリアを照明する照明器具と；照明器具が照明する照明エリアの照度を検出して、当該照度値を照明制御装置の照度入力手段に入力する照度センサと；を具備していることを特徴とする。
【００２９】
本発明によれば、点灯装置の調光下限値が予め設定された基準下限値を上回っているか否かにより、調光下限値での照明負荷の点灯状態が制御される照明装置が提供される。すなわち、照明装置は、調光下限値が基準下限値を上回っていると、外光の大きさに係わらず、照明負荷が調光下限値で点灯されて、調光下限値での急激な照度変化が発生せず、調光下限値が基準下限値以下であると、照明負荷を消灯させることができて、省電力が図られると共に、調光下限値での外光の変動による照明負荷の点滅が抑制される。
【００３０】
【発明の実施の形態】以下、本発明の一実施の形態について、図面を参照して説明する。
【００３１】
図１〜図５は、本発明の実施の形態を示し、図１は照明装置の概略構成図、図２はセンサ装置の斜視図、図３は照明制御装置のブロック図、図４は照明制御装置による第１の調光制御を示す特性線図、図５は照明制御装置による第２の調光制御を示す特性線図である。
【００３２】
図１において、照明装置１は、照度センサ２、照明制御装置３、照明器具４および点灯装置５を有して構成されている。そして、照度センサ２および照明制御装置３は、センサ装置６に一体化されて設けられ、点灯装置５は、照明器具４に配設されている。そして、照明器具４およびセンサ装置６は、天井面７に配設されている。
【００３３】
照明器具４は、照明負荷としての蛍光ランプ８が配設されていると共に、内部に蛍光ランプ８を付勢する点灯装置５を配設している。そして、複数の照明器具４が天井面７に配設されており、複数の照明器具４による照明により所定の照明エリア９が形成されている。
【００３４】
点灯装置５は、高周波点灯装置であり、照明制御装置３から送出された調光信号例えばＰＷＭ調光信号に応じて蛍光ランプ８を調光点灯させる。すなわち、蛍光ランプ８は、照明制御装置３により光出力が制御される。この光出力の制御により、照明エリア９の照度が変化する。
【００３５】
センサ装置６は、図２に示すように、センサ装置本体１０、カバー１１および取付ばね１２，１２等を有して形成されている。そして、カバー１１には、外表面１１ａに露出するようにして、照度センサ２、人感センサ１３、受信素子１４および切り換えスイッチ１５が配設されている。また、センサ装置本体１０は、内部に照明制御装置３（図示しない。）を収納し、側面１０ａに端子群１６を配設している。端子群１６は、照明制御装置３と照明器具４の点灯装置５を接続する出力端子などにより形成されている。
【００３６】
照度センサ２は、照明器具４が照明する照明エリア９内からの反射光により当該照明エリア９内の照度を間接的に検出し、照明制御装置３に送出するように構成されている。人感センサ１３は、照明エリア９に近づく人体を検出して照明制御装置３を介して蛍光ランプ８を点灯させるものである。
【００３７】
受信素子１４は、ワイヤレス送信機（リモコン）１７から送信される制御信号を受信して照明制御装置３に送出するように構成されている。ここで、ワイヤレス送信機１７は、蛍光ランプ８を点消灯させる点滅信号や調光させる調光信号などの制御信号および点灯装置５の調光下限値や目標照度などの設定信号を送信可能に構成されている。
【００３８】
切り換えスイッチ１５は、人感センサ１３が人体を検出したときの当該検出保持時間を切り換えるものであり、例えば検出保持時間を３分または６分に設定させる。
【００３９】
照明制御装置３は、図３に示すように、照度入力手段としての照度入力部１８、人体検出部１９、ワイヤレス受信部２０、記憶部２１、調光信号出力部２２、下限点灯選択手段としての下限点灯選択部２３、下限値設定手段としての下限値設定部２４、電源部２５および制御手段としての制御部２６を有して構成されている。
【００４０】
照度入力部１８は、センサ装置６の照度センサ２に電気的に接続され、照度センサ２の出力電圧（検出値）を入力して制御部２６に送出するように構成されている。ここで、照度センサ２の出力電圧は、照明器具４が照明する照明エリア９の照度と相関している。すなわち、照度入力部１８は、照明エリア９の照度値を入力するものである。
【００４１】
照明エリア９の照度は、照明器具４が照明する照射光による照度に、本来、照明エリア９を照明するものでない他の照明器具からの照射光や太陽光などからなる外光による照度が加算されている。
【００４２】
人体検出部１９は、センサ装置６の人感センサ１３に接続され、人感センサ１３が検出した人体の検出信号を制御部２６に送出するように構成されている。当該検出信号は、検出保持時間にわたり出力される。制御部２６は、人体検出部１９から人体の検出信号を入力すると、例えば検出保持時間にわたり、蛍光ランプ８を点灯させる照明制御信号を調光信号出力部２２から信号線２７を介して照明器具４に送出する。
【００４３】
ワイヤレス受信部２０は、ワイヤレス送信機１７から送信されたオンオフ制御信号や調光制御信号などの照明制御信号および点灯装置５の調光下限値や目標照度などの設定信号を入力して制御部２６に送出するように構成されている。
【００４４】
記憶部２１は、予め設定された目標照度、予め設定された基準下限値、点灯装置５の調光下限値および第１〜第３の照度値などの諸データが記憶される。ここで、目標照度は、照明エリア９に外光がほとんどない状態であって、当初の蛍光ランプ８のフル点灯（１００％）に対する例えば７０％の照明器具４のみによる照明エリア９の照度値に設定されている。また、基準下限値は、蛍光ランプ８のフル点灯（調光率１００％）の例えば３０％に設定されている。
【００４５】
点灯装置５の調光下限値は、蛍光ランプ８の調光点灯が維持される蛍光ランプ８の調光率の最小値である。この調光下限値は、点灯装置５の種類に応じて異なり、例えば５０％または２５％が設定されている。
【００４６】
第１〜第３の照度値は、点灯装置５の調光下限値が基準下限値（例えば３０％）以下のときに設定されるものである。したがって、調光下限値が５０％であるときには設定する必要がなく、調光下限値が２５％であるときには設定される。
【００４７】
第１の照度値は、照明エリア９に外光がほとんどない状態であって、当初の蛍光ランプ８を調光下限値で点灯したときの照明器具４のみによる照明エリア９の照度（以下、照明器具４の下限照度という。）と、目標照度とを加算した値である。また、第２の照度値は、目標照度から前記照明器具４の下限照度を減算した値である。照明器具４の下限照度は、例えば照明装置１が設置されたときに、照明エリア９に外光がほとんどない状態にして蛍光ランプ８を調光下限値で点灯させ、照度センサ２から照度入力部１８に入力された照明エリア９の照度値を制御部２６で演算して算出することができる。
【００４８】
そして、第３の照度値は、第１の照度値および第２の照度値の範囲の任意の照度値に設定されるものであるが、後述の理由により、できるだけ第１の照度値より離間した照度値とすることが好ましい。
【００４９】
蛍光ランプ８は、点灯時間が経過するにしたがい光束維持率が低下していくので、当初、調光率７０％のときの照度で使用可能に設計されている。そして、点灯時間の経過とともに調光率が上昇される使用方法が一般的である。ここで、蛍光ランプ８を調光下限値で点灯したときの照明器具４のみによる照明エリア９の照度も点灯時間の経過とともに減少することになり、前記照明器具４の下限照度との照度差が生じる。これにより、蛍光ランプ８の点灯時間の経過に応じて、適宜、第１および第２の照度値あるいは第３の照度値を補正するようにしてもよい。しかしながら、この調光下限値は低い値であり、調光下限値での照度の経時変化は小さいので、蛍光ランプ８の寿命期間にわたり、当初に設定した第１〜第３の照度値で実用に差し支えないものである。
【００５０】
調光信号出力部２２は、ワイヤレス送信器１７からワイヤレス受信部２０に入力された照明制御信号などの他、制御部２６により演算生成された調光信号を照明器具４の点灯装置５に信号線２７を介して送出するように構成されている。
【００５１】
下限点灯選択部２３は、点灯装置５の調光下限値と予め設定された基準下限値を比較し、調光下限値が基準下限値を上回っているか否かにより、制御部２６による調光下限値での蛍光ランプ８の点灯状態の制御方法を異ならせるように構成されている。すなわち、調光下限値が基準下限値を上回るときには、制御部２６に対して調光下限値で蛍光ランプ８の点灯を維持させる。また、調光下限値が基準下限値以下であるときには、制御部２６に対して調光下限値での蛍光ランプ８の点消灯を選択可能にさせるものである。
【００５２】
下限値設定部２４は、ワイヤレス送信機１７から送信された設定信号または図示しない設定スイッチからの設定信号に応じて、点灯装置５の調光下限値を演算して設定するように構成されている。そして、当該調光下限値は、制御部２６を介して記憶部２１に記憶されるものである。
【００５３】
電源部２５は、商用交流電源Ｖｓに接続され、交流電圧を直流電圧に変換すると共に、所定の電圧値に調整して、制御部２６などの照明制御装置３の各構成部に駆動電源を供給するように構成されている。すなわち、照明制御装置３は、電源部２５に商用交流電源Ｖｓより交流電圧が供給されることにより動作するものである。
【００５４】
制御部２６は、ＣＰＵ、ＲＡＭおよびプログラムが格納されたＲＯＭなどを具備している。そして、プログラムに基づいて、照明制御装置３の各構成部の制御を行うものである。そして、照度センサ２から照度入力部１８に入力された照明エリア９の照度値に応じて調光信号を演算生成し、調光信号出力部２２から点灯装置５に送出する。
【００５５】
以下、図４または図５に示す調光制御の特性線図を用いて、制御部２６による照明器具４の制御を説明する。なお、図中、縦軸は、照明エリア９の照度値を当初の蛍光ランプ８（照明器具４）の調光率で現し、横軸は、外光の大きさ（外光による照明エリア９の照度値）で現しており、実線は照明エリア９の照度値、破線は照明器具４のみによる照明エリア９の照度値を現している。
【００５６】
下限点灯選択部２３は、電源部２５に商用交流電源Ｖｓから交流電圧が投入されると、記憶部２１に記憶されている点灯装置５の調光下限値および基準下限値を読み出し、両者を比較して、その比較結果を制御部２６に送出する。制御部２６は、下限点灯選択部２３の判別に応じて、蛍光ランプ８の点灯状態を制御するように動作する。すなわち、調光下限値が基準下限値（３０％）を上回っているときには、図４に示す調光制御（第１の調光制御）を行い、調光下限値が基準下限値（３０％）以下であるときには、図５に示す調光制御（第２の調光制御）を行う。
【００５７】
図４において、照明装置１を構成する点灯装置５は、調光率５０％を下回って蛍光ランプ８を継続点灯させないものである。したがって、点灯装置５の調光下限値は、５０％に設定されており、基準下限値（３０％）を超えている。制御部２６は、照明エリア９の照度が目標照度７０％となるように、外光が大きくなるにしたがい蛍光ランプ８（点灯装置５）の調光率を減少させる。この目標照度７０％の一定制御は、蛍光ランプ８の調光下限値５０％の到達時点（図中、Ａ時点）まで行われる。
【００５８】
そして、制御部２６は、蛍光ランプ８を調光下限値５０％まで調光させると、さらに外光が大きくなっても、蛍光ランプ８を調光下限値５０％で継続点灯させる。これにより、照明エリア９の照度は、調光下限値５０％の到達時点（Ａ時点）から外光が大きくなるにしたがい、外光による照度値の増加分、大きくなっていく。逆に、照明エリア９の照度は、外光が小さくなるにしたがい、Ａ時点の目標照度７０％までは減少し、さらに外光が小さくなると、蛍光ランプ８の調光率が調光下限値５０％より上昇されて目標照度７０％になるものである。
【００５９】
このように、照明装置１が基準下限値（３０％）を上回る調光下限値を有する点灯装置５を具備していると、外光の大きさに係わらず、調光下限値での蛍光ランプ８の点灯が維持される。したがって、蛍光ランプ８が調光下限値で点灯されているとき、蛍光ランプ８の点滅の制御がなく、外光による照度変化があるのみであるので、照明エリア９での急激な照度変化が発生しにくく、人に対する違和感や不快感などが抑制される。
【００６０】
次に、図５における第２の調光制御について説明する。
【００６１】
図５において、点灯装置５は、調光率２５％を下回って蛍光ランプ８を継続点灯させないものである。したがって、点灯装置５の調光下限値は、２５％に設定されており、基準下限値（３０％）以下である。そして、第１の照度値は、目標照度７０％に照明器具４の下限照度２５％を加算した値９５％に算出され、第２の照度値は、目標照度７０％から照明器具４の下限照度２５％を減算した値４５％に算出されて、それぞれ記憶部２１に記憶されている。また、第３の照度値は、第１の照度値および第２の照度値の範囲である５０％に設定されて記憶部２１に記憶されている。制御部２６は、調光下限値が基準下限値（３０％）以下であるときに、第１〜第３の照度値を読み出す。
【００６２】
制御部２６は、調光下限値２５％の到達時点（図中、Ｂ時点）までは、外光が大きくなるにしたがい蛍光ランプ８（点灯装置５）の調光率を減少させて、照明エリア９の照度が目標照度７０％となるように制御する。
【００６３】
制御部２６は、蛍光ランプ８を調光下限値２５％で点灯させているとき、照明エリア９の照度が第１の照度値９５％以下であるときには、引き続き、調光下限値２５％で蛍光ランプ８を点灯させる。すなわち、照明エリア９の照度は、さらに外光が大きくなるにしたがい目標照度７０％から外光による照度値の増加分上昇していくが、第１の照度値９５％までは、蛍光ランプ８の点灯を維持するものである。
【００６４】
そして、照明エリア９の照度が第１の照度値９５％を上回ると、蛍光ランプ８を消灯させる。すなわち、調光下限値２５％において、外光が照明器具４の下限照度２５％分さらに大きくなると、蛍光ランプ８を消灯制御する。このとき、照明エリア９の照度は、第１の照度値９５％（図中、Ｃ時点）から目標照度７０％（図中、Ｄ時点）まで急激に減少する。すなわち、照明器具４の下限照度２５％分の照度変化が生じる。そして、照明エリア９の照度は、さらに外光が大きくなるにしたがい、Ｄ時点の目標照度７０％から外光による照度値の増加分大きくなっていく。
【００６５】
そして、制御部２６は、蛍光ランプ８を調光下限値２５％で消灯制御した後、外光が小さくなって、照明エリア９の照度がＤ時点の目標照度７０％まで減少しても、蛍光ランプ８を再点灯させず、第３の照度値５０％（図中、Ｅ時点）以下となったときに再点灯させるように制御するものである。このとき、照明エリア９の照度は、第３の照度値５０％（Ｅ時点）からＦ時点の照度まで急激に上昇する。すなわち、照明器具４の照度２０％分の照度変化が生じる。そして、蛍光ランプ８は、さらに外光が小さくなるにしたがい、やがて調光下限値２５％から調光率が増加されて点灯され、照明エリア９の照度を目標照度７０％にさせるように制御される。
【００６６】
第３の照度値は、蛍光ランプ８を調光下限値で再点灯させる制御値である。第３の照度値を第１の照度値９５％〜第２の照度値４５％の範囲に設定することにより、蛍光ランプ８を再点灯したときの照明エリア８の急激な照度変化は、最大照明器具４の下限照度２５％に押さえられる。これにより、照明エリア８の照度変化による違和感や不快感などが抑制される。
【００６７】
しかし、第３の照度値を第１の照度値９５％の近辺に設定すると、蛍光ランプ８が再点灯された後、外光の大きさが第１の照度値９５％の近辺で変動すると、照明エリア９の照度が第１の照度値９５％を上回ったり、下回ったりするおそれがある。この結果、蛍光ランプ８が点滅するおそれがあり、人に対する違和感や不快感を与えるおそれがある。そこで、第３の照度値は、第１の照度値９５％から離間した照度値に設定することが好ましい。例えば、第３の照度値を目標照度７０％〜第２の照度値４５％の範囲に設定すると、蛍光ランプ８が点滅するには、外光の照度変化は、少なくとも照明器具４の下限照度２５％を要することになるので、調光下限値２５％における蛍光ランプ８の点滅が抑制可能である。
【００６８】
また、上述したように、第１の照度値は、目標照度７０％に調光下限値２５％で蛍光ランプ８を点灯したときの照明器具４のみによる照明エリア９の照度（照明器具４の下限照度）を加算した値とし、第２の照度値は、目標照度７０％から照明器具４の下限照度を減算した値としているが、これに限らず、第１の照度値は、目標照度７０％を上回る任意の照度値であればよく、第２の照度値は、目標照度７０％を下回る任意の照度値であればよい。このとき、第１または第２の照度値と目標照度７０％との照度差が大きいと、上述したように、調光下限値で蛍光ランプ８が消灯または再点灯したときに、照明エリア９の照度変化が大きくなり、人に対して違和感や不快感を与えるおそれがある。したがって、第１の照度値は、目標照度７０％および目標照度７０％に照明器具４の下限照度を加算した値の範囲に設定され、第２の照度値は、目標照度７０％および目標照度７０％から照明器具４の下限照度を減算した値の範囲に設定されることが好ましい。
【００６９】
上述したように、照明装置１は、照明制御装置３の下限点灯選択部２３により点灯装置５の調光下限値が予め設定された基準下限値を上回っているか、基準下限値以下であるかが判別され、この判別に応じて制御部２６により、調光下限値での蛍光ランプ８の点灯状態が制御される。そして、調光下限値が基準下限値を上回っていると、外光の大きさに係わらず、蛍光ランプ８は調光下限値での点灯が維持される。これにより、照明エリア９は、調光下限値での急激な照度変化が発生せず、外光による照度変化のみであるので、人に対する違和感や不快感などが抑制される。
【００７０】
また、調光下限値が基準下限値以下であると、照明エリア９の照度が第１の照度値を上回るときに蛍光ランプ９が消灯され、第１の照度値の近辺に設定していない第３の照度値以下となったときに蛍光ランプ９が再点灯されるので、省電力が図られると共に、調光下限値での外光の変動による蛍光ランプ９の点滅が抑制され、人に対する違和感や不快感などが抑制される。
【００７１】
なお、上記実施形態において、複数の照明器具４のうちのひとつが一端側にセンサ装置６と同様の動作を有するセンサ装置を配設していてもよい。これにより、照度センサ２および照明制御装置３を設置する手間が省略できるので、省力化が図れる。また、照度センサ２および照明制御装置３は、図２に示すセンサ装置６のように一体的である必要はなく、それぞれ別体に構成されていてもよい。
【００７２】
【発明の効果】請求項１の発明によれば、点灯装置の調光下限値が予め設定された基準下限値を上回るか否かにより、調光下限値での照明負荷の点灯状態が選択される照明制御装置を提供することができる。そして、調光下限値が基準調光率を上回っていると、照明負荷は調光下限値で点灯が維持されるので、調光下限値での急激な照度変化が発生せず、調光下限値が基準下限値以下のときには、照明負荷を消灯することができて省電力を図ることができる。
【００７３】
請求項２の発明によれば、照明エリアの照度が第１の照度値を上回るときに照明負荷が消灯され、第３の照度値以下となったときに照明負荷が再点灯されることにより、省電力を図ることができると共に、調光下限値での外光の変動による照明負荷の点滅を抑制することができる。
【００７４】
請求項３の発明によれば、第１および第２の照度値は、調光下限値で照明負荷を点灯したときの照明器具のみによる照明エリアの照度を目標照度にそれぞれ加算または減算させた値であるので、調光下限値で照明負荷が消灯または再点灯しても、照明エリアの照度変化は大きくなく、人に対して違和感や不快感を与えることを抑制することができる。
【００７５】
請求項４の発明によれば、第３の照度値は、第１の照度値から離間した目標照度および第２の照度値の範囲に設定しているので、調光下限値での外光の変動による照明負荷の点滅を抑制することができる。
【００７６】
請求項５の発明によれば、点灯装置の調光下限値が予め設定された基準下限値を上回っているか否かにより、調光下限値での照明負荷の点灯状態が制御される照明装置を提供することができる。すなわち、調光下限値が基準下限値を上回っていると、照明負荷が調光下限値で点灯されて、調光下限値での急激な照度変化が発生せず、調光下限値が基準下限値以下であると、照明負荷を消灯させることができて、省電力が図られると共に、調光下限値での外光の変動による照明負荷の点滅が抑制される照明装置を提供することができる。
【図面の簡単な説明】
【図１】本発明の実施の形態を示す照明装置の概略構成図。
【図２】同じく、センサ装置の斜視図。
【図３】同じく、照明制御装置のブロック図。
【図４】同じく、照明制御装置による第１の調光制御を示す特性線図。
【図５】同じく、照明制御装置による第２の調光制御を示す特性線図。
【符号の説明】
１…照明装置、２…照度センサ、３…照明制御装置、４…照明器具、５…点灯装置、１８…照度入力手段としての照度入力部、２３…下限点灯選択手段としての下限点灯選択部、２４…下限値設定手段としての下限値設定部、２６…制御手段としての制御部
【図１】
2004235070.tif 000003
【図２】
2004235070.tif 000004
【図３】
2004235070.tif 000005
【図４】
2004235070.tif 000006
【図５】
2004235070.tif 000007